(57)【要約】【課題】  復水器の上部本体胴の外圧強度を損なうことなく、製作も容易に行える復水器の上部胴本体胴を提供することである。【解決手段】  上部本体胴２を縦方向に分割して縦割り短冊状パネル１０を形成し、縦割り短冊状パネル１０の側面に設けられたパネル枠１２で隣り合う縦割り短冊状パネル１０との合わせ面を形成する。そして、パネル枠１２に設けられたボルト穴１３にボルトを通して隣り合う縦割り短冊状パネル１０を連結して上部本体胴２を形成する。これにより、溶接工数を低減して復水器の上部本体胴の外圧強度を損なうことなく製作コストを低減する。【選択図】  図１
2005337650.tif 000002
【特許請求の範囲】
【請求項１】
低圧タービンから排出される蒸気を複数の冷却管からなる管群を収納した下部本体胴へ導く復水器の上部本体胴において、上部本体胴を縦方向に分割して形成された縦割り短冊状パネルと、前記縦割り短冊状パネルの側面部に形成され隣り合う縦割り短冊状パネルの合わせ面を形成し隣り合う前記縦割り短冊状パネルを連結するためのボルトを貫通させるボルト穴を備えたパネル枠とからなり、前記縦割り短冊状パネルをボルトで結合して組み立てて形成したことを特徴とする復水器の上部本体胴。
【請求項２】
低圧タービンから排出される蒸気を複数の冷却管からなる管群を収納した下部本体胴へ導く復水器の上部本体胴において、上部本体胴を横方向に分割して形成された横割り短冊状パネルと、前記横割り短冊状パネルの側面部に形成され隣り合う横割り短冊状パネルの合わせ面を形成し隣り合う前記縦割り短冊状パネルを連結するためのボルトを貫通させるボルト穴を備えたパネル枠とからなり、前記縦割り短冊状パネルをボルトで結合して組み立てて形成したことを特徴とする復水器の上部本体胴。
【請求項３】
前記縦割り短冊状パネルまたは前記縦割り短冊状パネルを保持する上部本体胴の骨組み枠を設けたことを特徴とする請求項１または請求項２記載の復水器の上部本体胴。
【請求項４】
隣り合う縦割り短冊状パネルまたは横割り短冊状パネルの一方のパネル枠に位置合わせ穴を設け、他方のパネル枠にその位置合わせ穴に係合する突起部を設け、隣り合う縦割り短冊状パネルまたは横割り短冊状パネルの位置合わせを行うことを特徴とする請求項１乃至請求項３のいずれか１項に記載の復水器の上部本体胴。
【請求項５】
隣り合う縦割り短冊状パネルまたは横割り短冊状パネルの一方のパネル枠に断面が三角形状の凹部を設け、他方のパネル枠に前記凹部に係合する凸部を設け、隣り合う縦割り短冊状パネルまたは横割り短冊状パネルの位置合わせを行うことを特徴とする請求項１乃至請求項３のいずれか１項に記載の復水器の上部本体胴。
【請求項６】
隣り合う縦割り短冊状パネルまたは横割り短冊状パネルの一方のパネル枠に断面が半月状の凹部を設け、他方のパネル枠に前記凹部に係合する凸部を設け、隣り合う縦割り短冊状パネルまたは横割り短冊状パネルの位置合わせを行うことを特徴とする請求項１乃至請求項３のいずれか１項に記載の復水器の上部本体胴。
【請求項７】
隣り合う縦割り短冊状パネルまたは横割り短冊状パネルの一方のパネル枠に鋸歯接続形状を設け、他方のパネル枠に前記鋸歯接続形状に係合する鋸歯接続形状を設け、隣り合う縦割り短冊状パネルまたは横割り短冊状パネルの位置合わせを行うことを特徴とする請求項１乃至請求項３のいずれか１項に記載の復水器の上部本体胴。
【請求項８】
隣り合う縦割り短冊状パネルまたは横割り短冊状パネルの一方のパネル枠に他方のパネル枠の上部に重なる重なり部を設け、隣り合う縦割り短冊状パネルまたは横割り短冊状パネルの位置合わせを行うことを特徴とする請求項１乃至請求項３のいずれか１項に記載の復水器の上部本体胴。
【請求項９】
前記縦割り短冊状パネルまたは横割り短冊状パネルは、パネル板が波形板であることを特徴とする請求項１乃至請求項８のいずれか１項に記載の復水器の上部本体胴。
【請求項１０】
前記骨組み枠と前記縦割り短冊状パネルまたは横割り短冊状パネルとの接触面に位置合わせのための凹凸部を設けたことを特徴とする請求項３記載の復水器の上部本体胴。
【発明の詳細な説明】
【技術分野】
【０００１】
本発明は、低圧タービンから排出される蒸気を複数の冷却管からなる管群を収納した下部本体胴へ導く復水器の上部本体胴に関する。
【背景技術】
【０００２】
一般に、復水器は低圧タービンから排出される蒸気を冷却管群で凝縮させ  て復水にするもので、復水器の上部本体胴は低圧タービン出口に設置される排気室と冷却管内の冷却水で蒸気を凝縮させる管群を収納した下部本体胴との間に位置している。
【０００３】
図１１は復水器１の構造図であり、図１１（ａ）は正面図、図１１（ｂ）は側面図である。復水器１の上部本体胴２は、低圧タービン３の排蒸気が流入する排気室４と、冷却数が流れる管群５が設置された下部本体胴６との間に位置し、縦断面形状が台形になるように４つの平板から形成されている。復水器１の上部本体胴２には補強部材のトラス７ａ、７ｂ、補強リブ８が固定されており、また、下部本体胴６には支え板９が設けられている。
【０００４】
このように構成された復水器１内では、低圧タービン３内からの排蒸気が排気室４および上部本体胴２を経て復水器１の管群５へ流入し、ここで管群５を構成する冷却管内を流れる冷却水によって蒸気を凝縮させ、下部本体胴６の底部の水溜めに溜められる。このように復水器１内の蒸気が凝縮し、器内は真空に近い低圧に保たれている。このため、復水器１の上部本体胴４には外圧が働くので、補強部材のトラス７ａ、７ｂや補強リブ８を設けて外圧に耐えられるように構成している。
【０００５】
ところで、図１１に前記したように、復水器１は低圧タービン３下方に設置されるが、このような復水器が設置される空間、すなわち低圧タービン３の下方は、通常地下空間となるため、必ずしも広いものではない。そのため、復水器１の設置時には復水器１を複数に分割し、これを工場で組み立て、それぞれブロック状の完成品を搬入、現地にて最終的に組み立てることが行われている。また、上部本体胴２などは単なる板状のものであるため、パネル状にして搬入されることが通常行われている（例えば、特許文献１参照）。
【特許文献１】特公昭５６−１６８７０号公報
【発明の開示】
【発明が解決しようとする課題】
【０００６】
しかし、復水器１の上部本体胴２が外圧に耐えうる十分な安全強度を有するためには、複数の補強部材を設置する必要があり、上部本体胴２の製作のための溶接工数が増大する問題があった。
【０００７】
本発明の目的は、復水器の上部本体胴の外圧強度を損なうことなく、製作も容易に行える復水器の上部胴本体胴を提供することである。
【課題を解決するための手段】
【０００８】
請求項１の発明に係る復水器の上部本体胴は、低圧タービンから排出される蒸気を複数の冷却管からなる管群を収納した下部本体胴へ導く復水器の上部本体胴において、上部本体胴を縦方向に分割して形成された縦割り短冊状パネルと、前記縦割り短冊状パネルの側面部に形成され隣り合う縦割り短冊状パネルの合わせ面を形成し隣り合う前記縦割り短冊状パネルを連結するためのボルトを貫通させるボルト穴を備えたパネル枠とからなり、前記縦割り短冊状パネルをボルトで結合して組み立てて形成したことを特徴とする。
【０００９】
請求項１の発明に係る復水器の上部本体胴においては、上部本体胴を縦方向に分割して縦割り短冊状パネルを形成し、縦割り短冊状パネルの側面に設けられたパネル枠で隣り合う縦割り短冊状パネルとの合わせ面を形成する。そして、パネル枠に設けられたボルト穴にボルトを通して隣り合う縦割り短冊状パネルを連結して上部本体胴を形成する。これにより、溶接工数を低減して復水器の上部本体胴の外圧強度を損なうことなく製作コストを低減する。
【００１０】
請求項２の発明に係る復水器の上部本体胴は、低圧タービンから排出される蒸気を複数の冷却管からなる管群を収納した下部本体胴へ導く復水器の上部本体胴において、上部本体胴を横方向に分割して形成された横割り短冊状パネルと、前記横割り短冊状パネルの側面部に形成され隣り合う横割り短冊状パネルの合わせ面を形成し隣り合う前記縦割り短冊状パネルを連結するためのボルトを貫通させるボルト穴を備えたパネル枠とからなり、前記縦割り短冊状パネルをボルトで結合して組み立てて形成したことを特徴とする。
【００１１】
請求項２の発明に係る復水器の上部本体胴においては、上部本体胴を横方向に分割して横割り短冊状パネルを形成し、横割り短冊状パネルの側面に設けられたパネル枠で隣り合う横割り短冊状パネルとの合わせ面を形成する。そして、パネル枠に設けられたボルト穴にボルトを通して隣り合う横割り短冊状パネルを連結して上部本体胴を形成する。これにより、溶接工数を低減して復水器の上部本体胴の外圧強度を損なうことなく製作コストを低減する。
【００１２】
請求項３の発明に係る復水器の上部本体胴は、請求項１または請求項２の発明において、前記縦割り短冊状パネルまたは前記縦割り短冊状パネルを保持する上部本体胴の骨組み枠を設けたことを特徴とする。
【００１３】
請求項３の発明に係る復水器の上部本体胴においては、請求項１または請求項２の発明の作用に加え、縦割り短冊状パネルまたは縦割り短冊状パネルは上部本体胴の骨組み枠に保持される。従って、より強い強度が確保できる。
【００１４】
請求項４の発明に係る復水器の上部本体胴は、請求項１乃至請求項３のいずれか１項の発明において、隣り合う縦割り短冊状パネルまたは横割り短冊状パネルの一方のパネル枠に位置合わせ穴を設け、他方のパネル枠にその位置合わせ穴に係合する突起部を設け、隣り合う縦割り短冊状パネルまたは横割り短冊状パネルの位置合わせを行うことを特徴とする。
【００１５】
請求項４の発明に係る復水器の上部本体胴においては、請求項１乃至請求項３のいずれか１項の発明の作用に加え、隣り合う縦割り短冊状パネルまたは横割り短冊状パネルを連結する際に、パネル枠に設けられた突起部を位置合わせ穴に係合させて、隣り合う縦割り短冊状パネルまたは横割り短冊状パネルの位置合わせを行う。
【００１６】
請求項５の発明に係る復水器の上部本体胴は、請求項１乃至請求項３のいずれか１項の発明において、隣り合う縦割り短冊状パネルまたは横割り短冊状パネルの一方のパネル枠に断面が三角形状の凹部を設け、他方のパネル枠に前記凹部に係合する凸部を設け、隣り合う縦割り短冊状パネルまたは横割り短冊状パネルの位置合わせを行うことを特徴とする。
【００１７】
請求項５の発明に係る復水器の上部本体胴においては、請求項１乃至請求項３のいずれか１項の発明の作用に加え、隣り合う縦割り短冊状パネルまたは横割り短冊状パネルを連結する際に、パネル枠に設けられた断面が三角形状の凹部および凸部により、隣り合う縦割り短冊状パネルまたは横割り短冊状パネルの位置合わせを行う。
【００１８】
請求項６の発明に係る復水器の上部本体胴は、請求項１乃至請求項３のいずれか１項の発明において、隣り合う縦割り短冊状パネルまたは横割り短冊状パネルの一方のパネル枠に断面が半月状の凹部を設け、他方のパネル枠に前記凹部に係合する凸部を設け、隣り合う縦割り短冊状パネルまたは横割り短冊状パネルの位置合わせを行うことを特徴とする。
【００１９】
請求項６の発明に係る復水器の上部本体胴においては、請求項１乃至請求項３のいずれか１項の発明の作用に加え、隣り合う縦割り短冊状パネルまたは横割り短冊状パネルを連結する際に、パネル枠に設けられた断面が半月状の凹部および凸部により、隣り合う縦割り短冊状パネルまたは横割り短冊状パネルの位置合わせを行う。
【００２０】
請求項７の発明に係る復水器の上部本体胴は、請求項１乃至請求項３のいずれか１項の発明において、隣り合う縦割り短冊状パネルまたは横割り短冊状パネルの一方のパネル枠に鋸歯接続形状を設け、他方のパネル枠に前記鋸歯接続形状に係合する鋸歯接続形状を設け、隣り合う縦割り短冊状パネルまたは横割り短冊状パネルの位置合わせを行うことを特徴とする。
【００２１】
請求項７の発明に係る復水器の上部本体胴においては、請求項１乃至請求項３のいずれか１項の発明の作用に加え、隣り合う縦割り短冊状パネルまたは横割り短冊状パネルを連結する際に、パネル枠に設けられた鋸歯接続形状により、隣り合う縦割り短冊状パネルまたは横割り短冊状パネルの位置合わせを行う。
【００２２】
請求項８の発明に係る復水器の上部本体胴は、請求項１乃至請求項３のいずれか１項の発明において、隣り合う縦割り短冊状パネルまたは横割り短冊状パネルの一方のパネル枠に他方のパネル枠の上部に重なる重なり部を設け、隣り合う縦割り短冊状パネルまたは横割り短冊状パネルの位置合わせを行うことを特徴とする。
【００２３】
請求項８の発明に係る復水器の上部本体胴においては、請求項１乃至請求項３のいずれか１項の発明の作用に加え、隣り合う縦割り短冊状パネルまたは横割り短冊状パネルを連結する際に、パネル枠に設けられた重なり部により、隣り合う縦割り短冊状パネルまたは横割り短冊状パネルの位置合わせを行う。
【００２４】
請求項９の発明に係る復水器の上部本体胴は、請求項１乃至請求項８のいずれか１項の発明において、前記縦割り短冊状パネルまたは横割り短冊状パネルは、パネル板が波形板であることを特徴とする。
【００２５】
請求項９の発明に係る復水器の上部本体胴においては、請求項１乃至請求項８のいずれか１項の発明の作用に加え、表面が波形に形成された縦割り短冊状パネルまたは横割り短冊状パネルは、剛性がさらに向上する。
【００２６】
請求項１０の発明に係る復水器の上部本体胴は、請求項３の発明において、前記骨組み枠と前記縦割り短冊状パネルまたは横割り短冊状パネルとの接触面に位置合わせのための凹凸部を設けたことを特徴とする。
【００２７】
請求項１０の発明に係る復水器の上部本体胴においては、請求項３の発明の作用に加え、縦割り短冊状パネルまたは横割り短冊状パネルが骨組み枠に保持される際には、その接触面の凹凸部により位置合わせが行われる。
【発明の効果】
【００２８】
本発明によれば、復水器の上部胴本体に複数の補強板を設ける必要がなくなる。また、上部本体胴を形成するパネルを短冊状パネルに分割して組み立てる構造であるので製作が簡素化される。このように、外圧強度を損なうことなく、溶接工数が省略できることから溶接変形や溶接残留応力がなくなり、低工数の復水器の上部本体胴を提供できる。
【発明を実施するための最良の形態】
【００２９】
以下、本発明の実施の形態を説明する。図１は本発明の実施の形態に係る復水器の上部本体胴の構成図であり、図１（ａ）は外観図、図１（ｂ）は上部本体胴を形成する縦割り短冊パネルの外観構成図である。
【００３０】
図１（ａ）に示すように、上部本体胴２は縦方向に分割して形成された複数個の縦割り短冊状パネル１０を組み立てて形成される。上部本体胴２の側面部は台形であるので、中央部の縦割り短冊状パネル１０は長方形状であり、端部の縦割り短冊状パネル１０は三角形状で形成される。
【００３１】
図１（ｂ）は中央部の縦割り短冊状パネル１０の外観構成図であり、縦割り短冊状パネル１０はパネル板１１とその側面に設けられたパネル枠１２とからなっている。パネル枠１１は隣り合う縦割り短冊状パネルの合わせ面を形成し、隣り合う前記縦割り短冊状パネルを連結するためのボルトを貫通させるボルト穴１３が設けられている。そして、ボルト穴１３にボルトを通して縦割り短冊状パネル１２を組み立てて図１（ａ）に示すような復水器の上部本体胴２を形成する。
【００３２】
このように構成された復水器の上部本体胴２は、外圧を各縦割り短冊状パネル１０が受けるが、組み立て後のパネル枠１２が補強剤としての役目をするので強度を確保できる。すなわち、強度特性を把握して縦割り短冊状パネル１０のサイズおよびパネル枠１２のサイズを決定しているため、外圧の加圧で破損することはない。
【００３３】
また、縦割り短冊状パネル１０は工場にて製作できるため寸法精度が良く、それぞれの縦割り短冊状パネル１０の締結では溶接を用いないで、ボルト等の機械的締結にしているため、溶接で生じるような溶接変形および溶接残留応力を生じることがない。
【００３４】
さらに、製作面では、縦割り短冊状パネル１０は工場にて製作して現地まで運び、現地ではそれらの縦割り短冊状パネル１０の溶接を用いない組み立て作業であるので、大幅な工数の低減が可能である。
【００３５】
以上の説明では、上部本体胴２を縦方向に分割して形成された複数個の縦割り短冊状パネル１０を組み立てて上部本体胴２を形成する場合について説明したが、図２に示すように、上部本体胴２を横方向に分割して形成された横割り短冊状パネル１４を組み立てる構造とすることも可能である。この場合も縦割り短冊状パネル１０と同様にパネル枠１２を設け、そのパネル枠にボルト穴を設けて隣り合う横割り短冊状パネル１４を連結する。横割り短冊状パネル１４とした場合は、上部本体胴２の下部より組み立てが順次できる利点がある。
【００３６】
また、図３に示すように、縦割り短冊状パネル１０または横割り短冊状パネル１４を保持するための上部本体胴２の骨組み枠１５を設け、この骨組み枠１５と縦割り短冊状パネル１０または横割り短冊状パネル１４とで上部本体胴２を構成するようにしても良い。この場合、骨組み枠１５を設けたことにより復水器の上部本体胴２全体の強度が向上する利点がある。
【００３７】
次に、隣り合う縦割り短冊状パネル１０または横割り短冊状パネル１４の連結の仕方について説明する。図４は、隣り合う縦割り短冊状パネル１０または横割り短冊状パネル１４の一方のパネル枠１２ａに位置合わせ穴１６を設け、他方のパネル枠１２ｂにその位置合わせ穴１６に係合する突起部１７を設けたものを示している。隣り合う縦割り短冊状パネル１０または横割り短冊状パネル１４を連結する際には、一方のパネル枠１２ａの位置合わせ穴１６に他方の突起部１７を挿入して、隣り合う縦割り短冊状パネル１０または横割り短冊状パネル１４の位置合わせを行う。そして、ボルト穴１３にボルトを通してボルトにより締結する。これにより、各パネル同士の位置ずれを防止できる。
【００３８】
図５は、隣り合う縦割り短冊状パネル１０または横割り短冊状パネル１４の一方のパネル枠１２ａに断面が三角形状の凹部１８を設け、他方のパネル枠１２ｂに凹部１８に係合する凸部１９を設け、隣り合う縦割り短冊状パネル１０または横割り短冊状パネル１４の位置合わせを行うようにしたものである。この場合、パネル枠１２ａの三角形状の凹部１８よりもパネル枠１２ｂの三角形状の凸部１９の先端角度をやや小さくして位置合わせを容易にする。また、この凹凸部１８、１９はパネル枠１２ａ、１２ｂに部分的に形成し、凹凸部１８、１９の数は一つに限らず複数個設けても良い。
【００３９】
図６は、隣り合う縦割り短冊状パネル１０または横割り短冊状パネル１４の一方のパネル枠１２ａに断面が半月状の凹部１８を設け、他方のパネル枠１２ｂに凹部１８に係合する凸部１９を設け、隣り合う縦割り短冊状パネル１０または横割り短冊状パネル１４の位置合わせを行うようにしたものである。この場合も図５に示した三角形状の凹凸部と同様に、凹凸部１８、１９はパネル枠１２ａ、１２ｂに部分的に形成する。なお、凹凸部１８、１９の数は一つに限らず複数個設けても良い。
【００４０】
図７は、隣り合う縦割り短冊状パネル１０または横割り短冊状パネル１４の一方のパネル枠１２ａに鋸歯接続形状２０ａを設け、他方のパネル枠１２ｂに鋸歯接続形状２０ａに係合する鋸歯接続形状２０ｂを設け、隣り合う縦割り短冊状パネル１０または横割り短冊状パネル１４の位置合わせを行うようにしたものである。この場合も図５に示した三角形状の凹凸部と同様に、鋸歯接続形状２０ａ、２０ｂはパネル枠１２ａ、１２ｂに部分的に形成する。なお、鋸歯接続形状２０ａ、２０ｂの数は一つに限らず複数個設けても良い。このような鋸歯接続形状にすることにより、締結部の隙間をなくすことができ締結部の密着度が高まる。従って、復水器の上部本体胴２の強度特性も向上する。
【００４１】
図８は、隣り合う縦割り短冊状パネル１０または横割り短冊状パネル１４の一方のパネル枠１２ｂに他方のパネル枠１２ａの上部に重なる重なり部２１を設け、隣り合う縦割り短冊状パネル１０または横割り短冊状パネル１４の位置合わせを行うようにしたものである。重なり部２１により短冊状パネルの締結部の表面側を覆うようにしているので合わせ面のずれを把握し易い。
【００４２】
以上の説明では、縦割り短冊状パネル１０または横割り短冊状パネル１４は、パネル板１１が平面形状である場合について説明したが、図９に示すように波形板１１Ａを用いるようにしても良い。このように波形をしたパネル板１１Ａを用いることにより、剛性では平板を用いている場合よりも波形板を用いた方が高くなる。このため、同じ外圧に対する耐力である場合には、波形板の方が板厚を減少させることができ各パネル板の重量を低減できる。
【００４３】
また、骨組み枠１５を設けた場合には、その骨組み枠１５と縦割り短冊状パネル１０または横割り短冊状パネル１４との接触面に、図１０に示すように位置合わせのための凹凸部を設けるようにしても良い。図１０に示したものでは、各短冊状パネル１０（１４）を骨組み枠１５の凹部に差し込むようになっており、これにより骨組み枠１５への短冊状パネル１０（１４）の取り付けを容易にしている。
【図面の簡単な説明】
【００４４】
【図１】本発明の実施の形態に係る復水器の上部本体胴の外観構成図。
【図２】本発明の実施の形態に係る復水器の上部本体胴の他の一例を示す外観構成図。
【図３】本発明の実施の形態に係る復水器の上部本体胴の骨組み枠の外観構成図。
【図４】本発明の実施の形態に係る復水器の上部本体胴における短冊状パネルの連結の仕方の一例（その１）の説明図。
【図５】本発明の実施の形態に係る復水器の上部本体胴における短冊状パネルの連結の仕方の一例（その２）の説明図。
【図６】本発明の実施の形態に係る復水器の上部本体胴における短冊状パネルの連結の仕方の一例（その３）の説明図。
【図７】本発明の実施の形態に係る復水器の上部本体胴における短冊状パネルの連結の仕方の一例（その４）の説明図。
【図８】本発明の実施の形態に係る復水器の上部本体胴における短冊状パネルの連結の仕方の一例（その５）の説明図。
【図９】本発明の実施の形態に係る復水器の上部本体胴における短冊状パネルの他の一例を示す斜視図。
【図１０】本発明の実施の形態に係る復水器の上部本体胴における短冊状パネルと骨組み枠との連結の仕方の一例の説明図。
【図１１】従来の復水器の構造図
【符号の説明】
【００４５】
１…復水器、２…上部本体胴、３…低圧タービン、４…排気室、５…管群、６…下部本体胴、７…トラス、８…補強リブ、９…支え板、１０…縦割り短冊状パネル、１１…パネル板、１２…パネル枠、１３…ボルト穴、１４…横割り短冊状パネル、１５…骨組み枠、１６…位置合わせ穴、１７…突起部、１８…凹部、１９…凸部、２０…鋸歯接続形状、２１…重なり部
【図１】
2005337650.tif 000003
【図２】
2005337650.tif 000004
【図３】
2005337650.tif 000005
【図４】
2005337650.tif 000006
【図５】
2005337650.tif 000007
【図６】
2005337650.tif 000008
【図７】
2005337650.tif 000009
【図８】
2005337650.tif 000010
【図９】
2005337650.tif 000011
【図１０】
2005337650.tif 000012
【図１１】
2005337650.tif 000013